【手続補正書】
【提出日】平成26年9月5日(2014.9.5)
【手続補正１】
【補正対象書類名】明細書
【補正対象項目名】０００９
【補正方法】変更
【補正の内容】
【０００９】
本発明に係る画像処理装置は、立体視の為に用いられる、同一の被写体を複数の異なる視点から見た場合の複数の画像を記録する画像処理装置であって、立体視を行うための第１の視環境において、互いに視差を有する複数の画像に基づく立体表示を行うように表示手段を制御する制御手段と、前記表示手段に立体表示された画像に対して入力されたユーザ操作に応じて、前記第１の視環境とは異なる第２の視環境で立体視を行うための複数の画像を記録する記録手段とを有し、前記記録手段は、前記立体表示に用いられた複数の画像が互いに有する視差とは異なる大きさの視差を互いに有する複数の画像を、前記第２の視環境で立体視を行うための複数の画像として記録することを特徴とする。
【手続補正２】
【補正対象書類名】特許請求の範囲
【補正対象項目名】全文
【補正方法】変更
【補正の内容】
【特許請求の範囲】
【請求項１】
立体視の為に用いられる、同一の被写体を複数の異なる視点から見た場合の複数の画像を記録する画像処理装置であって、
立体視を行うための第１の視環境において、互いに視差を有する複数の画像に基づく立体表示を行うように表示手段を制御する制御手段と、
前記表示手段に立体表示された画像に対して入力されたユーザ操作に応じて、前記第１の視環境とは異なる第２の視環境で立体視を行うための複数の画像を記録する記録手段とを有し、
前記記録手段は、前記立体表示に用いられた複数の画像が互いに有する視差とは異なる大きさの視差を互いに有する複数の画像を、前記第２の視環境で立体視を行うための複数の画像として記録することを特徴とする画像処理装置。
【請求項２】
前記第１の視環境を示す第１のパラメータと、前記第２の視環境を示す第２のパラメータとを入力する入力手段を更に有し、
前記立体表示に用いられた複数の画像が互いに有する視差と、前記記録手段が記録する複数の画像が互いに有する視差との関係は、前記第１のパラメータと前記第２のパラメータとに基づいて決定されることを特徴とする請求項１に記載の画像処理装置。
【請求項３】
前記第１のパラメータと前記第２のパラメータとに基づいて、前記立体表示に用いる複数の画像が互いに有する視差を決定する決定手段を更に有することを特徴とする請求項２に記載の画像処理装置。
【請求項４】
前記決定手段は、前記立体表示を前記第１の視環境で観察した場合の立体感と、前記記録手段に記録された複数の画像に基づいた立体表示を前記第２の視環境で観察した場合の立体感とが一致するように、前記立体表示に用いる複数の画像が互いに有する視差を決定することを特徴とする請求項３に記載の画像処理装置。
【請求項５】
前記決定手段は、以下の式に従って、前記立体表示に用いる複数の画像が互いに有する視差を決定することを特徴とし、
【数１】
2013081133.tif 000001
ここで、θ’は前記立体表示に用いる複数の画像が互いに有する視差、Ｌは前記第２の視環境における視距離、θは前記記録手段が記録する複数の画像が互いに有する視差、Ｄは前記第２の視環境における画像サイズ、ｄは前記第１の視環境における画像サイズ、ｌは前記第１の視環境における視距離である、請求項４に記載の画像処理装置。
【請求項６】
前記第１のパラメータ及び前記第２のパラメータは、前記第１の視環境および前記第２の視環境において立体表示される画像のサイズを示す情報と、前記立体表示される画像を観察する視点から、前記画像を立体表示する表示手段までの距離を示す情報とを含むことを特徴とする請求項１乃至５のいずれか一項に記載の画像処理装置。
【請求項７】
前記記録手段は、複数の異なる視点から撮像された複数の撮像画像の中から、前記第２の視環境で立体視を行うための複数の画像を選択することを特徴とする請求項１乃至６のいずれか一項に記載の画像処理装置。
【請求項８】
複数の異なる視点から撮像された複数の撮像画像を用いて、前記第２の視環境で立体視を行うための複数の画像として、前記複数の撮像画像が対応する複数の視点とは異なる視点に対応する複数の中間視点画像を生成する生成手段を更に有することを特徴とする請求項１乃至６のいずれか一項に記載の画像処理装置。
【請求項９】
前記記録手段は、記録する画像として、前記第２の視環境で立体視を行うための複数の画像のみを記録することを特徴とする請求項１乃至８のいずれか一項に記載の画像処理装置。
【請求項１０】
前記記録手段は、記録する画像として、前記第２の視環境で立体視を行うための複数の画像を含む複数の画像を記録し、更に、前記記録する複数の画像のうち前記第２の視環境で立体視を行うための複数の画像を示す情報を記録することを特徴とする請求項１乃至９のいずれか一項に記載の画像処理装置。
【請求項１１】
前記記録する複数の画像のうち前記第２の視環境で立体視を行うための複数の画像を示す情報は、前記第２の視環境で立体視を行うための複数の画像が互いに有する視差を示す情報であることを特徴とする請求項１０に記載の画像処理装置。
【請求項１２】
立体視の為に用いられる、同一の被写体を複数の異なる視点から見た場合の複数の画像の視差を記録する画像処理装置であって、
立体視を行うための第１の視環境において、互いに視差を有する複数の画像に基づく立体表示を行うように表示手段を制御する制御手段と、
前記表示手段に立体表示された画像に対して入力されたユーザ操作に応じて、前記第１の視環境とは異なる第２の視環境で立体視を行うための複数の画像の視差を記録する記録手段とを有し、
前記記録手段は、前記立体表示に用いられた複数の画像が互いに有する視差とは異なる大きさの視差を、前記第２の視環境で立体視を行うための複数の画像が互いに有する視差として記録することを特徴とする画像処理装置。
【請求項１３】
請求項１乃至１２のいずれか一項に記載の画像処理装置としての機能を有し、
同一の被写体を複数の異なる視点から撮像する複数の撮像部を更に有することを特徴とする撮像装置。
【請求項１４】
立体視の為に用いられる、同一の被写体を複数の異なる視点から見た場合の複数の画像を記録する画像処理方法であって、
立体視を行うための第１の視環境において、互いに視差を有する複数の画像に基づく立体表示を行うように表示手段を制御する制御工程と、
前記表示手段に立体表示された画像に対して入力されたユーザ操作に応じて、前記第１の視環境とは異なる第２の視環境で立体視を行うための複数の画像を記録する記録工程とを含み、
前記記録工程は、前記立体表示に用いられた複数の画像が互いに有する視差とは異なる大きさの視差を互いに有する複数の画像を、前記第２の視環境で立体視を行うための複数の画像として記録する工程であることを特徴とする画像処理方法。
【請求項１５】
立体視の為に用いられる、同一の被写体を複数の異なる視点から見た場合の複数の画像の視差を記録する画像処理方法であって、
立体視を行うための第１の視環境において、互いに視差を有する複数の画像に基づく立体表示を行うように表示手段を制御する制御工程と、
前記表示手段に立体表示された画像に対して入力されたユーザ操作に応じて、前記第１の視環境とは異なる第２の視環境で立体視を行うための複数の画像の視差を記録する記録工程とを含み、
前記記録工程は、前記立体表示に用いられた複数の画像が互いに有する視差とは異なる大きさの視差を、前記第２の視環境で立体視を行うための複数の画像が互いに有する視差として記録する工程であることを特徴とする画像処理方法。
【請求項１６】
コンピュータを請求項１乃至１２のいずれか一項に記載の画像処理装置の各手段として機能させるプログラム。